(57)【要約】【課題】液体中に噴出した複数の気泡で文字および絵柄を表示する表示装置を提供する。【解決手段】  容器１の底面には接続管８が設けられている。噴出口２は接続管９を貫通して設けられている。接続管８の両端には補助タンク９が設けられている。電磁弁３は、一端が噴出口２に設けられており制御部６１の信号により開閉する。空気タンク４は一端が電磁弁３の他端に設けられている。空気ポンプ５は一端が空気タンク４の他端に設けられている。空気ポンプ５により圧縮された空気は空気タンク４へ流入し、空気タンク４内の空気圧を高めつつ電磁弁３の他端に到達する。制御部６１はここに格納された動作プログラムおよび表示データに従って電磁弁３の開閉を行う。電磁弁３が開くと、圧縮空気は油I内へ噴出される。【選択図】図１
2007199554.tif 000002
【特許請求の範囲】
【請求項１】
透明な部分を備えた容器と、この容器内に満たされた流動性のある第一の物質と、一端が上記容器内に設けられた２以上の噴出口と、この噴出口から噴出され上記第一の物質よりも比重が小さくかつ上記第一の物質と混ざらずかつ流動性のある第二の物質と、一端が上記噴出口の他端と一体となって設けられた供給弁と、この供給弁の他端に一体となって設けられた供給装置と、上記供給弁の開閉を制御する制御装置を備えたことを特徴とする表示装置。
【請求項２】
透明な部分を備えた複数の容器と、この容器内に満たされた流動性のある第一の物質と、一端が上記各々の容器内に設けられた噴出口と、この噴出口から噴出され上記第一の物質よりも比重が小さくかつ上記第一の物質と混ざらずかつ流動性のある第二の物質と、一端が上記噴出口の他端と一体となって設けられた供給弁と、この供給弁の他端に一体となって設けられた供給装置と、上記供給弁の開閉を制御する制御装置を備えたことを特徴とする表示装置。
【請求項３】
透明な部分を備えた複数の容器と、一端が上記複数の容器の下部に一体となって設けられた接続管と、上記容器内および上記接続館内に満たされた流動性のある第一の物質と、一端が上記接続管内に設けられた複数の噴出口と、この噴出口から噴出され上記第一の物質よりも比重が小さくかつ上記第一の物質と混ざらずかつ流動性のある第二の物質と、一端が上記噴出口の他端に一体となって設けられた供給弁と、この供給弁の他端に一体となって設けられた供給装置と、上記供給弁の開閉を制御する制御装置を備えたことを特徴とする表示装置。
【請求項４】
透明な部分を備えた複数の容器と、一端が上記複数の容器の下部に一体となって設けられた接続管と、この接続管と一体となって設けられた補助タンクと、上記容器内、上記接続管内および上記補助タンク内に満たされた流動性のある第一の物質と、一端が上記接続管内に設けられた複数の噴出口と、この噴出口から噴出され上記第一の物質よりも比重が小さくかつ上記第一の物質と混ざらずかつ流動性のある第二の物質と、一端が上記噴出口の他端に一体となって設けられた供給弁と、この供給弁の他端に一体となって設けられた供給装置と、上記供給弁の開閉を制御する制御装置を備えたことを特徴とする表示装置。
【請求項５】
前記容器はその長手方向がほぼ鉛直方向であることを特徴とする請求項１ないし４記載の表示装置。
【請求項６】
前記容器はその長手方向が鉛直方向に対して一定の角度を有していることを特徴とする請求項１ないし４記載の表示装置。
【請求項７】
前記第一の物質は油であり、前記第二の物質は空気であることを特徴とする請求項１ないし６記載の表示装置。
【請求項８】
前記第一の物質は水であり、前記第二の物質は空気であることを特徴とする請求項１ないし６記載の表示装置。
【発明の詳細な説明】
【技術分野】
【０００１】
本発明は、表示装置に関するものである。
【背景技術】
【０００２】
縦および横方向に一定の間隔で配置した多数の発光ダイオードの点滅により文字列および絵柄を表示する表示装置がある。
【発明の開示】
【発明が解決しようとする課題】
【０００３】
解決しようとすることは、液体中に噴出した複数の気泡を文字や絵柄を構成する小さな点（ドット）として表示することである。
【課題を解決するための手段】
【０００４】
本発明は、透明な部分を備えた容器と、この容器内に満たされた流動性のある第一の物質と、一端が上記容器内に設けられた２以上の噴出口と、この噴出口から噴出され上記第一の物質よりも比重が小さくかつ上記第一の物質と混ざらずかつ流動性のある第二の物質と、一端が上記噴出口の他端と一体となって設けられた供給弁と、この供給弁の他端に一体となって設けられた供給装置と、上記供給弁の開閉を制御する制御装置を備えたことを特徴とする。
【０００５】
また、本発明は、透明な部分を備えた複数の容器と、この容器内に満たされた流動性のある第一の物質と、一端が上記各々の容器内に設けられた噴出口と、この噴出口から噴出され上記第一の物質よりも比重が小さくかつ上記第一の物質と混ざらずかつ流動性のある第二の物質と、一端が上記噴出口の他端と一体となって設けられた供給弁と、この供給弁の他端に一体となって設けられた供給装置と、上記供給弁の開閉を制御する制御装置を備えたことを特徴とする。
【０００６】
また、本発明は、透明な部分を備えた複数の容器と、一端が上記複数の容器の下部に一体となって設けられた接続管と、容器容器内および上記接続管内に満たされた流動性のある第一の物質と、一端が上記接続管内に設けられた複数の噴出口と、この噴出口から噴出され上記第一の物質よりも比重が小さくかつ上記第一の物質と混ざらずかつ流動性のある第二の物質と、一端が上記噴出口の他端に一体となって設けられた供給弁と、この供給弁の他端に一体となって設けられた供給装置と、上記供給弁の開閉を制御する制御装置を備えたことを特徴とする。
【０００７】
また、本発明は、透明な部分を備えた複数の容器と、一端が上記複数の容器の下部に一体となって設けられた接続管と、この接続管と一体となって設けられた補助タンクと、上記容器内、上記接続管内および上記補助タンク内に満たされた流動性のある第一の物質と、一端が上記接続管内に設けられた複数の噴出口と、この噴出口から噴出され上記第一の物質よりも比重が小さくかつ上記第一の物質と混ざらずかつ流動性のある第二の物質と、一端が上記噴出口の他端に一体となって設けられた供給弁と、この供給弁の他端に一体となって設けられた供給装置と、上記供給弁の開閉を制御する制御装置を備えたことを特徴とする。
【０００８】
また、本発明の前記容器はその長手方向がほぼ鉛直方向であることを特徴とする。
【０００９】
また、本発明の前記容器はその長手方向が鉛直方向に対して一定の角度を有していることを特徴とする。
【００１０】
また、本発明の前記第一の物質は油であり、前記第二の物質は空気であることを特徴とする。
【００１１】
また、本発明の前記第一の物質は水であり、前記第二の物質は空気であることを特徴とする。
【発明の効果】
【００１２】
液体中に噴出した複数の気泡で文字列および絵柄を表現することができる。また、液体中を気泡が上昇する様子を見て楽しむことができる。
【発明を実施するための最良の形態】
【００１３】
容器内に噴出された気泡で文字等の情報を表示する表示装置を実現した。
【実施例１】
【００１４】
図１は本発明の表示装置の一実施例の構成および動作を説明した図であり、図２はその外観図を示した斜視図であり、図３は容器１、接続管８および補助タンク９の関係を説明した斜視図である。容器１Ａないし容器１Ｐは透明な中空の円筒形状であり、図中上下方向が軸線方向であり、上部および下部は開口しており、容器１内は油Iが満たされている。接続管８は、図中水平方向が長手方向の中空の四角柱形状となっており油Iが満たされている。接続管８の上面には１６個の貫通孔が設けられており,それぞれの貫通孔は容器１の下部の開口した部分と一体となっており、油Iが自由に出入りできるようになっている。補助タンク９は、図中上下方向が長手方向の中空の四角柱形状であり、上面および底面付近の側面が開口しており油Iが満たされている。補助タンク９の底面付近の側面にある開口した部分は、接続管８の長手方向の両端に設けられた開口した部分が一体となっており、油Iが自由に出入りできるようになっている。補助タンク９は、後述する噴出口２から噴出した気泡Ｂによる容器１の液面の変化を少なくするために設けられている。また、液面の上昇により油Iが容器１から溢れないように容器１は上部の若干の空間部Sが設けられている。空気Bを噴出する噴出口２Aないし噴出口２Pは接続管８の底面を貫通して外部に開口している。空気Bが図中下から上への移動のみ行うことができる逆支弁７はこの流出側の開口部（図１の逆支弁７から矢印が出ている側の開口）と上記噴出口２Aないし噴出口２Pの外部の開口部が一体となって設けられている。逆支弁７は複数設けられている。電磁弁３Aないし電磁弁３Pは、この流出側の開口部（図１の電磁弁３Ａないし電磁弁３Ｐから矢印が出ている側の開口）と複数ある逆支弁７の流入側の開口部（図１の逆支弁７に矢印が入っている側の開口）がそれぞれ一体となって設けられている。電磁弁３Ａないし電磁弁３Ｐは後述する制御部６１の電気信号により開閉する。電磁弁３に供給する空気Bの圧力のむらが少なくなるように空気タンク４はその流出側の開口部（図１の空気タンク４から矢印が出ている側の開口）が電磁弁３Aないし電磁弁３Pの流入側の開口部（図１の電磁弁３Ａないし電磁弁３Ｐに矢印が入っている側の開口）と一体となって設けられている。空気タンク４内が一定の圧力以上となった場合に空気を放出する減圧弁４１が設けられている。空気ポンプ５はその流出側の開口部（図１の空気ポンプ５から矢印が出ている側の開口）が空気タンク４の流入側の開口部（図１の空気タンク４に矢印が入っている側の開口）と一体となって設けられている。空気ポンプ５は後述する制御部６１の電気信号により起動および停止を行い空気タンク４に圧縮した空気を供給する。電子回路６は制御部６１、入力部６２、時計・温度計６３および電源部６４で構成されている。制御部６１は、電磁弁３Aないし電磁弁３P、入力部６２、電源部６３および空気ポンプ５と電気的に接続されている。制御部６１は、動作プログラムおよび表示データを格納している。入力部６２は、ここにパソコンＰを接続できる。時計・温度計６３は現在時刻および現在温度を制御部６１に送っている。電源部６４は、電磁弁３Ａないし電磁弁３Ｐ、制御部６１、入力部６２、時計・温度計６３および空気ポンプ５に電力を供給している。
【００１５】
次に本発明の実施例１の動作を説明する。制御部６１の信号で空気ポンプ５が起動し、空気を圧縮する。圧縮された空気は空気タンク４へ流入し、空気タンク４内の空気圧を高めつつ電磁弁３Ａないし電磁弁３Pの流入側の開口部（図１の電磁弁３Ａないし電磁弁３Ｐに矢印が入っている側の開口）に到達する。制御部６１はここに格納された動作プログラム、表示データおよび時計・温度計６３から取得した時刻データ等に従って電磁弁３Ａないし電磁弁３Pの開閉を行う。電磁弁３Ａないし電磁弁３Pのいずれかが開状態になると、流入側の開口部に到達した圧縮空気が開状態となった電磁弁３Aないし電磁弁３Pの流出側の開口部（図１の電磁弁３Ａないし電磁弁３Ｐから矢印が出ている側の開口）へと導かれる。上記流出側の開口部に到達した圧縮空気は噴出口２から油I内へ噴出される。油Iへ噴出された気泡Ｂは油I内を上昇していく。
【００１６】
実施例１では油Iに噴出された気泡Ｂは、高さおよそ１．５ｃｍ、直径は容器１の内径と同じ２ｃｍの半球形状となっている。気泡Ｂの直径は容器１の内径と同じなので、気泡Ｂは容器１Ａないし容器１Ｐの内面に接触した状態で上昇する。上昇速度はおよそ１４ｃｍ／秒である。
【００１７】
次に「い」の文字の表示を例にして電磁弁３Ａないし電磁弁３Ｐの開閉の詳細を説明する。下記の表１は制御部６１に格納されている文字「い」を表示するためのデータである。
【００１８】
【表１】
2007199554.tif 000003
【００１９】
実施例１では電磁弁３を０．０２秒間開いた後に０．３秒間閉じることで１ドットを表示している。上記の表１の横軸に示された数字およびアルファベットを組み合わせた番号が電磁弁の番号を表しており、縦軸に示された数字が文字の表示開始時刻からの経過時間を表している。横軸と縦軸が交わっている部分が黒である箇所は対応する電磁弁３が開いていることを示し、横軸と縦軸が交わっている部分が白である箇所は対応する電磁弁３が閉じていることを示している。表中の黒い帯の縦方向の長さは０．０２秒なので、表１を参照すると、「い」の文字は、文字表示開始から０．９６秒後に電磁弁３Ａを０．０２秒間開き（表１のａ）文字表示開始から１．２８秒後に電磁弁３Ａおよび３Ｌを０．０２秒間開く（表１のｂおよびｃ）という順序で電磁弁３Ａないし電磁弁３Ｐを開閉して表示する。噴出された空気は油I内で気泡Ｂとなり上昇していくので、容器１内を文字が上方向に移動していくように見える。
【００２０】
表示文字列データまたは表示絵柄データはパソコンＰで作成する。作成した表示文字列データまたは表示絵柄データは、パソコンＰと入力部６２をＲＳ２３２Ｃケーブルで繋ぐことによりパソコンPから入力部６２を経由して制御部６１に格納される。
【００２１】
実施例１の容器１内に満たした油Iは着色してもよい。また、実施例１は油I内に空気を噴出させるものであるがここで使用している油および空気は、これらにこだわるものではく、それぞれ油以外および空気以外の物質であってもよい。
【００２２】
実施例１では空気ポンプ５が過負荷にならないように、また、電磁弁３に供給する空気圧を適正に保つために減圧弁４１を設けているが、空気タンク４に圧力センサを設けて空気タンク４内の圧力が一定になるように空気ポンプ５の動作を制御してもよい。
【００２３】
実施例１では容器１は円筒形状であるが、この形状にこだわるものでなく、例えば中空の四角柱形状であってもよい。
【実施例２】
【００２４】
図４および図５の実施例は容器１が直方体形状となっている。噴出口２Ａないし噴出口２Ｐが設けられた容器１は独立した空間でない。
【００２５】
実施例２は実施例１と異なり容器１が独立した空間となっていないので、気泡を容器１の内面に接触した状態で上昇させることはできないので、実施例２で容器１に水を満たした場合に噴出口２から噴出された気泡Ｂの高さおよそ４ｍｍ、直径およそ１ｃｍの半球である。また、上昇速度はおよそ２０ｃｍ／秒である。水中を上昇する気泡は、その体積が異なると上昇速度が異なるので、可能なかぎり気泡Ｂの体積を同じにするのがよい。
【実施例３】
【００２６】
図６の実施例は容器１を密閉したものである。容器１を密閉しているので、高価な液体であっても流出の心配がなく安心して使用できる。
【実施例４】
【００２７】
図７の実施例は、空気ポンプ５が容器１内から空気を排出する排気ポンプになっている。
【実施例５】
【００２８】
図８の実施例は、中空の四角柱形状の容器１Ａないし容器１Ｐが鉛直方向に対して一定の角度αだけ傾斜したものである。噴出口２Ａないし噴出口２Ｐから噴出された気泡は傾斜した容器１内を上昇するので、垂直に上昇する場合に比べて気泡Bの昇速度が緩やかになる。また、気泡は傾斜した容器１内の面に接触した状態で上昇するので、気泡の表面積が増加するので、より容易に認識できる。
【産業上の利用可能性】
【００２９】
店舗等で用いるの情報表示装置として利用できる。
【図面の簡単な説明】
【００３０】
【図１】表示装置の構成および動作を説明した図である。（実施例１）
【図２】（ａ）は表示装置の斜視図であり、（ｂ）はこの表示装置の２ｂ断面図である。（実施例１）
【図３】容器１Ａ、接続管８および補助タンク９の関係を説明した図である。
【図４】表示装置の構成および動作を説明した図である。（実施例２）
【図５】（ａ）は表示装置の斜視図であり、（ｂ）はこの表示装置の５ｂ断面図である。（実施例２）
【図６】表示装置の構成および動作を説明した図である。（実施例３）
【図７】表示装置の構成および動作を説明した図である。（実施例４）
【図８】（ａ）は表示装置の斜視図であり、（ｂ）はこの表示装置の８ｂ断面図であり、（ｃ）は表示装置の側面図である。（実施例５）
【符号の説明】
【００３１】
１  容器
２  噴出口
３  電磁弁
４  空気タンク
５  空気ポンプ
６  電子回路
７  逆支弁
８  接続管
９  補助タンク
４１  減圧弁
６１  制御部
６２  入力部
６３  時計・温度計
６４  電源部
Ｉ  油
Ｓ  空間部
Ｐ  パソコン
【図１】
2007199554.tif 000004
【図２】
2007199554.tif 000005
【図３】
2007199554.tif 000006
【図４】
2007199554.tif 000007
【図５】
2007199554.tif 000008
【図６】
2007199554.tif 000009
【図７】
2007199554.tif 000010
【図８】
2007199554.tif 000011